(57)【要約】【課題】電源ケーブルが床を這う状態を緩和又は防止できるコンセント装置を提供する。【解決手段】コンセント装置３は、移動台１０と、移動台１０上に立設された柱部２０を備えている。柱部２０にコンセント配置部３０が設けられ、コンセント配置部３０に複数のコンセント３１が設けられている。柱部２０から電源ケーブル４０が引き出され、電源ケーブル４０が壁コンセント６に接続される。【選択図】図１
2016052480.tif 000002
【特許請求の範囲】
【請求項１】
移動台と、
前記移動台上に立設された柱部と、
前記柱部に設けられたコンセント配置部と、
前記コンセント配置部に設けられた複数のコンセントと
各コンセントに接続されるとともに前記柱部から引き出された電源ケーブルと、
を備えたことを特徴とするコンセント装置。
【請求項２】
前記コンセント配置部が、前記柱部の上側部に設けられていることを特徴とする請求項１に記載のコンセント装置。
【請求項３】
前記柱部の上端部にアームが設けられており、前記アームが、前記柱部の上端部から垂下された垂下位置と、前記柱部の上端部から水平に延びる水平位置との間で回転可能、かつ前記水平位置に係止可能であり、
前記コンセントが前記アームに設けられていることを特徴とする請求項１に記載のコンセント装置。
【請求項４】
前記コンセント配置部には、１又は複数のコンセントを含む優先系統領域と、他の１又は複数のコンセントを含む一般系統領域とが設定されており、
許容電力を設定するつまみと、
トータルの使用電力が前記許容電力を越えようとしたときは、優先系統領域のコンセントへの電力供給を許容し、一般系統領域のコンセントへの電力供給を遮断する優先回路と、
前記使用電力の前記許容電力に対する割合を、当該割合の大小に応じて段階的に切替表示する表示手段と、
前記遮断時に発報する発報手段と、
を更に備えたことを特徴とする請求項１〜３の何れか１項に記載のコンセント装置。
【請求項５】
前記優先系統領域のコンセントには医療用電気機器が接続されることを特徴とする請求項４に記載のコンセント装置。
【発明の詳細な説明】
【技術分野】
【０００１】
本発明は、複数（多数）の電源ケーブルが接続されるコンセント装置に関し、特に病院、介護施設、福祉施設などの医療関係施設における各種医療機器の電源ケーブルに接続されるのに適したコンセント装置に関する。
【背景技術】
【０００２】
手術室や集中治療室などの医療現場では、一人の患者に数十台もの医療機器を接続する場合がある。これら医療機器の多くは電力で駆動される。各医療機器には電源ケーブルが設けられている。この電源ケーブルの先端のプラグをコンセントに差し込むことで、医療機器を駆動している。通常、壁に備え付けのコンセントでは数が足らないため、テーブルタップを用いてコンセントの数を増やしている。
【先行技術文献】
【特許文献】
【０００３】
【特許文献１】特開２０１２−２０３９９１号公報
【特許文献２】実用新案登録第３１６０１２８号公報
【発明の概要】
【発明が解決しようとする課題】
【０００４】
このような使用状況では、多数の電源ケーブルがタコ足状に床を這う状態になりやすく、電源ケーブルに足先を引っ掛けて転倒するおそれがある。また、感染物質が床から電源ケーブルに付着することも考えられ、電源ケーブルに触れた手で患者の傷などの処置を行うと感染リスクが高まる。さらには、各機器の電源ケーブルがどのコンセントに接続されているのかを判別するのが容易でない。そのため、生命維持装置等の、電源をオフしてはならない機器の電源ケーブルを誤って引き抜いてしまう可能性もある。
本発明は、前記事情に鑑み、電源ケーブルが床を這う状態を緩和ないしは防止でき、特に医療関係設備に好適なコンセント装置を提供することにある。
【課題を解決するための手段】
【０００５】
前記問題点を解決するために、本発明に係るコンセント装置は、
移動台と、
前記移動台上に立設された柱部と、
前記柱部に設けられたコンセント配置部と、
前記コンセント配置部に設けられた複数のコンセントと
各コンセントに接続されるとともに前記柱部から引き出された電源ケーブルと、
を備えたことを特徴とする。
【０００６】
このコンセント装置によれば、柱部にコンセント配置部を設けることで、電源ケーブルの先端部が引き上げられてコンセントに接続されるようにすることができる。したがって、電源ケーブルが床を這う状態を緩和又は防止できる。すなわち、電源ケーブルが床と接する長さを短くできる。或いは、電源ケーブルが床と接しないようにできる。これによって、足先を電源ケーブルに引っ掛けるおそれを低減でき、かつ感染リスクを低減できる。したがって、病院、介護施設、福祉施設などの医療関係施設に好適である。また、複数の電源ケーブルを整理して配線しやすくなる。さらには、各電気機器の電源ケーブルがどのコンセントに接続されているのかを判別しやすくできる。
【０００７】
前記コンセント配置部が、前記柱部の上側部に設けられていることが好ましい。
これによって、電源ケーブルが床を這う状態を確実に緩和又は防止できる。ここで、前記柱部の上側部とは、好ましくは柱部の中間高さより上側の部分を言う。
【０００８】
前記コンセントは、必ずしも柱部に直接的に設けられていなくてもよい。前記柱部にアーム（梁部）等の付加部材が付設され、この付加部材に前記コンセントが設けられていてもよい。前記アーム等の付加部材が、前記コンセント配置部を構成していてもよい。
前記柱部の上端部にアームが設けられており、前記アームが、前記柱部の上端部から垂下された垂下位置と、前記柱部の上端部から水平に延びる水平位置との間で回転可能、かつ前記水平位置に係止可能であり、前記コンセントが前記アームに設けられていてもよい。
このコンセント装置を使用するときは、アームを水平位置にすることが好ましい。これによって、複数のコンセントを柱部の上端部付近の高さに横方向に並べて配列できる。したがって、電源ケーブルが床を這う状態を確実に緩和又は防止できる。また、コンセント装置の非使用時にはアームを垂下位置にすることで、コンセント装置をコンパクトにすることができる。
【０００９】
前記コンセント配置部には、１又は複数のコンセントを含む優先系統領域と、他の１又は複数のコンセントを含む一般系統領域とが設定されていることが好ましい。更に、前記コンセント装置が、許容電力を設定するつまみと、トータルの使用電力が前記許容電力を越えようとしたときは、優先系統領域のコンセントへの電力供給を許容し、一般系統領域のコンセントへの電力供給を遮断する優先回路と、前記使用電力の前記許容電力に対する割合を、当該割合の大小に応じて段階的に切替表示する表示手段と、前記遮断時に発報する発報手段とを備えていることが好ましい。
優先系統領域のコンセントには、生命維持装置などの重要機器を接続する。一般系統領域のコンセントには、テレビや冷蔵庫などの重要度が低い電気機器を接続する。これによって、使用電力が過剰になったときは、重要度が低い電気機器への電力供給を遮断することで、重要機器への電力供給が維持されるようにすることができる。また、表示手段によって、使用電力の許容電力に対する割合の概略値を判断できる。さらには、発報手段によって、使用電力が許容電力を越えたことを確実に認識することができる。
【００１０】
前記優先系統領域のコンセントには医療用電気機器が接続されることが好ましい。
これによって、使用電力が過剰のときでも、最低限、医療用電気機器への電力供給が維持されるようにすることができる。ここで、医療用電気機器とは、病院、介護施設、福祉施設等の医療関係施設や、在宅介護の現場において、患者等の対象者の看護、治療、手術、検査等の医療行為や介護行為を施すのに用いる電力駆動式の機器を言い、例えば呼吸管理モニタなどのベッドサイドモニタ、バイタルセンサ、医用テレメータ、心電図モニタ、内視鏡装置、生命維持装置、シリンジポンプ、麻酔器などが挙げられる。
【発明の効果】
【００１１】
本発明によれば、電源ケーブルが床を這う状態を回避でき、更には複数（多数）の電源ケーブルをコンセントと機器の対応関係が判るように整理して配線できる。
【図面の簡単な説明】
【００１２】
【図１】図１は、本発明の第１実施形態に係る医療用電気機器システムの概略構成を示す側面図である。
【図２】図２は、前記医療用電気機器システムのコンセント装置の斜視図である。
【図３】図３は、本発明の第２実施形態に係るコンセント装置を、一対のアームのうち一方のアームを垂下位置とし、他方のアームを水平位置として示す斜視図である。
【図４】図４は、前記第２実施形態に係るコンセント装置を含む医療用電気機器システムを、両方のアームを水平位置として示す平面図である。
【図５】図５は、本発明の第３実施形態に係るコンセント装置のアーム（コンセント配置部）の斜視図である。
【図６】図６は、前記第３実施形態のコンセント装置の回路図である。
【発明を実施するための形態】
【００１３】
以下、本発明の実施形態を図面にしたがって説明する。
図１及び図２は、本発明の第１実施形態を示したものである。図１に示すように、病院や介護施設などの医療関係施設における治療室や病室等の室内には、医療用電気機器システム１が備えられている。医療用電気機器システム１は、複数の電気機器２，２…と、コンセント装置３を備えている。電気機器２は、心電図モニタ、内視鏡装置、生命維持装置などの、主に医療用電気機器であるが、テレビや冷蔵庫等の一般電気機器であってもよい。これら電気機器２，２…は、手術台やベッド（図示せず）の傍に好ましくは並べられて配置されている。各電気機器２から電源ケーブル２ｃが延びている。
なお、電気機器２の数は、図１においては３つであるが、これに限られず、２つ、又は４つ以上であってもよい。
【００１４】
電気機器２，２…の近くにコンセント装置３が配置されている。
図２に示すように、コンセント装置３は、移動台１０と、柱部２０とを備えている。移動台１０は、台部１１と、複数のキャスタ１２を含む。台部１１は、円形パイプ１１ａと、複数のスポーク１１ｂとを一体に含む。円形パイプ１１ａの下面には、周方向の等間隔置きにキャスタ１２が設けられている。キャスタ１２は、ホイール１２ａと、ホルダ１２ｂを含む。ホルダ１２ｂは、円形パイプ１１ａの下側部に鉛直な軸線まわりに回転可能に取り付けられている。ホルダ１２ｂにホイール１２ａが水平な回転軸まわりに回転可能に支持されている。これによって、移動台１０が任意の方向へ移動可能になっている。また、移動台１０は、その場で回転して向きを変えることもできる。
なお、キャスタ１２に、ホルダ１２ｂの回り止めや、ホイール１２ａの回り止めが設けられていてもよい。
【００１５】
移動台１０の中央部に柱部２０が立設されている。柱部２０の下端部が、スポーク１１ｂに固定されて支持されている。柱部２０は、例えば四角柱形状になっている。なお、柱部２０の形状は、四角柱形状に限られず、円柱形状や三角柱形状等であってもよい。柱部２０の高さは、人の腰くらいの高さが好ましく、床面から例えば０．８ｍ〜１．４ｍ程度である。
【００１６】
柱部２０の正面（側面）の上側部には、コンセント配置部３０が設定されている。コンセント配置部３０に複数のコンセント３１，３１…が設けられている。これらコンセント３１，３１…は、左右に２列になって上下に等間隔で並べられている。コンセント配置部３０の上端部（最上部のコンセント３１の配置位置）は、柱部２０の上端部近くに設定されている。また、コンセント配置部３０の下端部（最下部のコンセント３１の配置高さ）は、床面から０．４ｍ〜０．８ｍ辺りの高さに設定されている。コンセント配置部３０の上端部の位置が高過ぎると、柱部２０の高さが大きすぎて邪魔になったり、コンセント装置３が転倒しやすくなったりするおそれがある。コンセント配置部３０の下端部の位置が低過ぎると、下側のコンセント３１に接続される電源ケーブル２ｃが床に付き易くなる。
【００１７】
各電気機器２の電源ケーブル２ｃの先端のプラグ２ｐが、任意のコンセント３１に挿し込まれている。言い換えると、複数の電気機器２，２…の電源ケーブル２ｃが、１つのコンセント装置３に接続されている。
【００１８】
図１に示すように、柱部２０の内部には、内部配線３４が設けられている。内部配線３４は、１つの幹線３４ａと、複数の枝線３４ｂ，３４ｂ…とを含む。幹線３４ａから枝線３４ｂ，３４ｂ…が分岐されている。各枝線３４ｂが、対応するコンセント３１に接続されている。
なお、図１において、内部配線３４は、給電線のみを図示し、接地線の図示は省略する。
【００１９】
図１に示すように、柱部２０の背面の下側部から電源ケーブル４０が引き出されている。幹線３４ａが電源ケーブル４０に連なっている。これによって、各コンセント３１が、内部配線３４を介して電源ケーブル４０に連なっている。電源ケーブル４０の先端にはプラグ４２が設けられている。プラグ４２が室内の壁コンセント６に挿し込まれている。したがって、複数の電気機器２が、コンセント装置３を介して壁コンセント６に接続されている。これによって、各電気機器２が、商用電力の供給を受けることができる。
【００２０】
この医療用電気機器システム１によれば、複数の電気機器２，２…の電源ケーブル２ｃ，２ｃ…を１つのコンセント装置３を介して１本の電源ケーブル４０にまとめることで、電源ケーブル２ｃ，２ｃ…を整理することができる。しかも、コンセント装置３のコンセント３１を柱部２０に設けることによって、各電気機器２の電源ケーブル２ｃの先端が床から引き上げられてコンセント３１に接続されるようにすることができる。これによって、電源ケーブル２ｃが床を這う長さを短くでき、或いは電源ケーブル２ｃが床を這うのを防止できる。したがって、足先を電源ケーブル２ｃに引っ掛けて転倒するおそれを軽減又は回避できる。また、床の感染物質が電源ケーブル２ｃに付着するのを抑制又は防止でき、電源ケーブル２ｃを触ることで感染するリスクを低減できる。
【００２１】
また、コンセント配置部３０が人の腰あたりの高さに在るため、複数の電源ケーブル２ｃを乱雑にならないように整理しやすい。さらには、各電源ケーブル２ｃの延び方向を目視や手繰によって容易に辿ることができ、各電気機器２の電源ケーブル２ｃがどのコンセント３１に接続されているのかを容易に判別できる。したがって、意図した電気機器２とは異なる電気機器２の電源ケーブル２ｃを誤って引き抜いてしまうのを抑制又は防止できる。例えば、生命維持装置等の、電源をオフしてはならない機器の電源ケーブル２ｃを誤って引き抜いてしまうのを抑制又は防止できる。
コンセント装置３は、キャスタ１２付きであるため、医療行為などの作業の妨げにならない場所へ簡単に移動させることができる。
【００２２】
次に、本発明の他の実施形態を説明する。以下の実施形態において、既述の形態と重複する構成に関しては図面に同一符号を付して説明を簡略化する。
図３及び図４は、本発明の第２実施形態を示したものである。第２実施形態のコンセント装置３Ｂは、一対のアーム２２，２２を備えている。柱部２０の上端部には、連結板部２３が左右に突出するように設けられている。この連結板部２３にアーム２２の基端部が連結されている。アーム２２は、水平位置と垂下位置との間で水平な回転軸まわりに回転可能になっている。水平位置におけるアーム２２は、柱部２０の上端部から水平方向に延びる姿勢になる。垂下位置におけるアーム２２は、連結板部２３から鉛直下方に垂れた姿勢になる。
【００２３】
図４に示すように、柱部２０と各アーム２２との間には、ロック機構２４が設けられている。このロック機構２４によって、アーム２２が水平位置に係止可能及び係止解除可能になっている。ロック機構２４として、例えば柱部２０の連結板部２３に係止部材２５が設けられ、アーム２２に係止爪２６が設けられている。アーム２２を水平位置にしたとき、係止爪２６が係止部材２５に引っ掛かる。これによって、アーム２２が水平位置に保持（係止）される。この水平位置に保持された状態において、係止部材２５を、ばね２７（付勢手段）のばね力に抗してスライドさせると、係止部材２５が係止爪２６から外れる。これによって、アーム２２の水平位置係止状態を解除でき、アーム２２を自重で垂下位置へ下降させることができる。
ロック機構２４は種々の改変をなすことができる。例えば、係止部材２４を連結板部２３の内部へ向けて押し込むと、係止爪２６との係止が解除されるようにしてもよい。
【００２４】
各アーム２２の正面２２ａ（側面）に複数のコンセント３１，３１…が設けられている。これらコンセント３１，３１…は、アーム２２の長手方向に間隔を置いて並べられている。これによって、アーム２２が、コンセント配置部を構成している。
【００２５】
コンセント装置３Ｂの使用時には、アーム２２を水平位置にする。これによって、複数のコンセント３１，３１…を柱部２０の上端部付近の高さに横方向に並べて配列できる。したがって、各電気機器２の電源ケーブル２ｃを柱部２０の上端部付近まで引き上げてコンセント３１に接続できる。また、複数の電気機器２，２…が互いに横方向に並べられている場合、これら電気機器２，２…の並び方向にアーム２２を添わせることで、これら電気機器２，２…の電源ケーブル２ｃ，２ｃ…をできるだけ平行に近くなるように整理して配線できる。したがって、各電源ケーブル２ｃがどの電気機器２と対応するのかを一層容易に確認することができる。この結果、意図した電気機器２とは異なる電気機器２の電源ケーブル２ｃを誤って引き抜いてしまうのを一層確実に防止できる。
コンセント装置３Ｂの非使用時には、アーム２２，２２を垂下位置にすることで、占有スペースを減らすことができる。
【００２６】
図５及び図６は、本発明の第３実施形態を示したものである。第３実施形態は、第２実施形態（図３及び図４）のコンセント装置３Ｂに優先回路５０を組み込んだものである。図５に示すように、コンセント装置３Ｂのアーム２２（コンセント配置部３０）には、優先系統領域３２と、一般系統領域３３とが設定されている。アーム２２の正面２２ａにおける優先系統領域３２の色や質感は、一般系統領域３３の色や質感と異なっている。これによって、優先系統領域３２なのか、一般系統領域３３なのかを簡単に識別できる。各領域３２，３３には、１又は複数のコンセント３１が設けられている。優先系統領域３２のコンセント３１には、生命維持装置等の、その電力供給が遮断されると重大な事象が起き得る電気機器２（図１、図４参照）が接続される。一般系統領域３３のコンセント３１には、テレビ、ラジオ、冷蔵庫等の、電力供給が遮断されても影響が小さい電気機器２（図１、図４参照）が接続される。
【００２７】
図６に示すように、内部配線３４の主幹線３４ｘが、電源ケーブル４０に連なるとともに、優先系統幹線３４ｃと、一般系統幹線３４ｄとに分岐されている。優先系統幹線３４ｃは、優先系統枝線３４ｅを介して優先系統領域３２の各コンセント３１に接続されている。一般系統幹線３４ｄは、一般系統枝線３４ｆを介して一般系統領域３３の各コンセント３１に接続されている。
【００２８】
主幹線３４ｘには、電力計３５が設けられている。電力計３５によって、コンセント装置３Ｂに接続された電気機器２，２のトータルの使用電力Ｐ０が測定される。
また、一般系統幹線３４ｄには、遮断器３６が設けられている。遮断器３６を導通させることで、一般系統領域３３に接続された電気機器２に電力が供給される。遮断器３６を遮断すると、一般系統領域３３に接続された電気機器２への電力供給が遮断される。
【００２９】
さらに、コンセント装置３Ｂには、つまみ５２と、表示手段５３と、ブザー５４（発報手段）と、コントローラ５９（制御手段）とが設けられている。つまみ５２は、コンセント装置３Ｂを介して供給可能な許容電力Ｐ１を設定するためのものであり、ダイヤル等にて構成されている。例えば、１つの入院病棟に複数の入院ベッドが有り、入院ベッドごとに供給可能な電力を割り当てる必要がある場合がある。そのような場合、入院ベッドごとにコンセント装置３Ｂを設置して、表示手段５３によって当該病床の許容電力Ｐ１を設定できる。
【００３０】
表示手段５３は、許容電力Ｐ１に対する使用電力Ｐ０の割合（Ｐ０／Ｐ１）を、当該使用電力割合Ｐ０／Ｐ１の大小に応じて段階的に切替表示するものであり、青色（又は緑色）ＬＥＤ５３ａと、黄色ＬＥＤ５３ｂと、赤色ＬＥＤ５３ｃとを含む。これらＬＥＤ５３ａ，５３ｂ，５３ｃが、使用電力割合（Ｐ０／Ｐ１）に応じて選択的に点灯される。例えば、使用電力割合Ｐ０／Ｐ１が、Ｐ０／Ｐ１＝０．６程度以下であれば青色ＬＥＤ５３ａが点灯され、Ｐ０／Ｐ１＝９０〜９５％程度以上であれば赤色ＬＥＤ５３ｃが点灯され、青色ＬＥＤ５３ａの点灯範囲と赤色ＬＥＤ５３ｃの点灯範囲の間であれば、黄色ＬＥＤ５３ｂが点灯される。
【００３１】
詳細な図示は省略するが、コントローラ５９は、入出力回路、駆動回路、マイクロコンピュータ等を含む。前記入出力回路は、電力計３５及びつまみ５２等からの入力信号をＡ／Ｄ変換してマイクロコンピュータへ出力したり、マイクロコンピュータからの指令信号をＤ／Ａ変換して駆動回路へ出力したりする。前記駆動回路は、遮断器３６、表示手段５３及びブザー５４等に対する駆動電流を出力する。前記マイクロコンピュータは、前記入力信号に基づいて前記駆動回路を作動させる。
【００３２】
詳しくは、コントローラ５９は、電力計３５及びつまみ５２の入力信号に基づいて使用電力割合Ｐ０／Ｐ１を算出する。この使用電力割合Ｐ０／Ｐ１の値に応じて、３つのＬＥＤ５３ａ，５３ｂ，５３ｃの何れか１つを選択的に点灯させる。これによって、利用者は、使用電力割合Ｐ０／Ｐ１の概略値を判断できる。しかも、青、黄、赤の点灯色によって、使用電力Ｐ０が許容電力Ｐ１に対して余裕があるのか否か、或いは許容電力Ｐ１に迫っているのか否かを直感的に判断することができる。
【００３３】
さらに、コントローラ５９は、使用電力割合Ｐ０／Ｐ１が１００％を越えようとしたとき、つまりは使用電力Ｐ０が許容電力Ｐ１を越えようとしたときは、優先系統領域３２のコンセント３１への電力供給を許容する一方、遮断器３６を遮断する。これによって、一般系統領域３３のコンセント３１への電力供給が遮断される。これによって、テレビや冷蔵庫等の非重要機器２への電力供給を停止することで、生命維持装置などの重要機器２への電力供給を維持することができる。
コントローラ５９と、電力計３５と、遮断器３６を含む内部配線３４とによって、優先回路５０が構成されている。
また、コントローラ５９は、遮断器３６の遮断と併行して、ブザー５４を駆動して発報させる。これによって、利用者は、使用電力Ｐ０が許容電力Ｐ１を越えたことを認識することができる。
【００３４】
本発明は、前記実施形態に限られず、その趣旨を逸脱しない範囲内で種々の改変をなすことができる。
例えば、コンセント装置３，３Ｂにバッテリーを含む無停電装置を組み込んでもよい。これによって、不意の停電が起きたときでも、ある程度の時間、電気機器２を稼働させることができる。第３実施形態においては、停電の際、優先系統領域３２のコンセント３１に接続された電気機器２だけに無停電装置から電力供給することにしてもよい。
第３実施形態の優先回路５０等については、柱部２０を有するコンセント装置３Ｂ，３Ｂに限られず、柱部２０の無いコンセント装置にも適用でき、一般的なテーブルタップ等のおコンセント装置にも適用できる。
第３実施形態において、つまみ５２を省略してもよい。表示手段５３を省略してもよい。ブザー５４を省略してもよい。表示手段５３が液晶モニタを有していてもよい。前記液晶モニタに使用電力割合Ｐ０／Ｐ１又は使用電力Ｐ０を数値やボリュームバーにて表示してもよい。表示手段５３の各ＬＥＤの色、数、使用電力割合Ｐ０／Ｐ１に応じた点灯範囲などは、製品の仕様によって任意に設定できる。
【産業上の利用可能性】
【００３５】
本発明は、例えば病院の手術室や集中治療室等のおける各種医療機器用のコンセント装置に適用できる。
【符号の説明】
【００３６】
１        電気機器システム
２        電気機器
３        コンセント装置
１０      移動台
２０      柱部
２２      アーム（コンセント配置部）
３０      コンセント配置部
３１      コンセント
３２      優先系統領域
３３      一般系統領域
４０      電源ケーブル
５０      優先回路
５２      つまみ
５３      表示手段
５４      ブザー（発報手段）
【図１】
2016052480.tif 000003
【図２】
2016052480.tif 000004
【図３】
2016052480.tif 000005
【図４】
2016052480.tif 000006
【図５】
2016052480.tif 000007
【図６】
2016052480.tif 000008